(57)【要約】【課題】現在鑑賞中の再生情報に関連した番組を予約することができる番組予約システム、情報処理端末、および映像処理装置を提供する。【解決手段】番組予約システム１は、映像処理装置１０と情報処理端末２０とからなり、情報処理端末２０は、音声情報の再生中に音声情報に付随するキーワードを送信し、映像処理装置１０はキーワードを受信してキーワードに関連する番組情報を送信する。情報処理端末２０は、番組情報に含まれる所定の番組の予約情報を映像処理装置１０に送信する。【選択図】図１
2007324845.tif 000002
【特許請求の範囲】
【請求項１】
音声情報又は映像情報の少なくとも一方を有するコンテンツデータの再生中に、当該コンテンツデータに付随するキーワードを送信する情報処理端末と、
前記キーワードを前記情報処理端末から受信して前記キーワードに関連する番組情報を前記情報処理端末に送信する映像処理装置と
を備え、
前記情報処理端末は、前記番組情報に含まれる所定の番組の予約情報を前記映像処理装置に送信することを特徴とする番組予約システム。
【請求項２】
情報処理端末と映像処理装置とからなる番組予約システムであって、
前記情報処理端末は、
音声情報又は映像情報の少なくとも一方を有するコンテンツデータ、及び前記コンテンツデータに付随する付随情報を記憶する第１の記憶部と、
前記コンテンツデータを再生する再生部と、
前記コンテンツデータの再生時に前記付随情報を表示する第１の表示部と、
前記付随情報に含まれるキーワードを選択する際にユーザーが操作する操作部と、
選択された前記キーワードを前記映像処理装置へ送信する第１の無線通信部とを有し、
前記映像処理装置は、
前記情報処理端末から前記キーワードを受信する第２の無線通信部と、
ＥＰＧ情報を取得するＥＰＧ取得部と、
前記キーワード及び前記ＥＰＧ情報を記憶する第２の記憶部と、
前記ＥＰＧ情報より前記キーワードに関する検索結果情報を抽出する制御部と、
番組を録画予約又は視聴予約する番組予約処理部とを有し、
前記第２の無線通信部は、前記検索結果情報を前記情報処理端末へ送信し、
前記第１の無線通信部は、前記検索結果情報を前記映像処理装置より受信することを特徴とする番組予約システム。
【請求項３】
前記表示部は、前記検索結果情報を受信した後、前記検索結果情報を表示し、
前記操作部は、前記検索結果に含まれる番組情報を選択し、
前記第１の無線通信部は、前記映像処理装置において選択された前記番組情報に応じた番組を予約する要求を送信し、
前記第２の無線通信部は、前記番組情報を受信し、
前記録画予約処理部は、前記番組情報に応じた番組を予約することを特徴とする請求項２に記載の番組予約システム。
【請求項４】
前記操作部は、前記付随情報に含まれる複数の前記キーワードを選択し、前記複数のキーワードの組み合わせに応じた検索条件を決定することを特徴とする請求項２に記載の番組予約システム。
【請求項５】
前記第１の無線通信部、および前記第２の無線通信部は、Ｂｌｕｅｔｏｏｔｈを使用して相互に通信することを特徴とする請求項２に記載の番組予約システム。
【請求項６】
前記第１の無線通信部、および前記第２の無線通信部は、無線ＬＡＮを使用して相互に通信することを特徴とする請求項２に記載の番組予約システム。
【請求項７】
音声情報又は映像情報の少なくとも一方を有するコンテンツデータ、及び前記コンテンツデータに付随する付随情報を記憶する記憶部と、
前記コンテンツデータを再生する再生部と、
前記コンテンツデータの再生時に前記付随情報を表示する表示部と、
前記付随情報に含まれるキーワードを選択する際にユーザーが操作する操作部と、
選択された前記キーワードを映像処理装置へ送信する無線通信部とを有することを特徴とする情報処理端末。
【請求項８】
前記無線通信部は、前記キーワードを前記映像処理装置へ送信した後に、前記キーワードに関する検索結果情報を前記映像処理装置から受信し、
前記表示部は、前記検索結果情報を表示し、
前記操作部は、前記検索結果情報に含まれる番組情報を選択し、
前記無線通信部は、前記操作部により選択された前記番組情報に応じた番組の視聴予約又は録画予約する要求を送信することを特徴とする請求項７に記載の情報処理端末。
【請求項９】
前記操作部は、前記付随情報に含まれる複数の前記キーワードを選択し、前記複数のキーワードの組み合わせに応じた検索条件を決定することを特徴とする請求項７に記載の情報処理端末。
【請求項１０】
情報処理端末からキーワードを受信する無線通信部と、
ＥＰＧ情報を取得するＥＰＧ取得部と、
前記ＥＰＧ情報より前記キーワードに関する検索結果情報を抽出する制御部と、
番組を視聴予約又は録画予約する番組予約処理部とを有し、
前記無線通信部は、前記検索結果情報を前記情報処理端末へ送信することを特徴とする映像処理装置。
【請求項１１】
前記無線通信部は、前記検索結果情報を前記情報処理端末へ送信した後に、前記検索結果情報に応じた番組情報を受信し、
前記番組情報に応じた番組を予約することを特徴とする請求項９に記載の映像処理装置。
【発明の詳細な説明】
【技術分野】
【０００１】
本発明は、携帯型の情報処理端末と録画可能なビデオ機器等の映像処理装置とからなる番組予約システムに関し、特に現在鑑賞中の再生情報に関連した番組を予約することができる番組予約システムに関する。
【背景技術】
【０００２】
従来の技術として、携帯型の情報処理端末よりネットワークを利用して映像処理装置へアクセスして、番組録画を予約する番組予約システムがある（例えば、特許文献１）。
【０００３】
この番組予約システムによると、映像処理装置は、情報処理端末のユーザーの嗜好情報と、ＥＰＧ（Ｅｌｅｃｔｒｏｎｉｃ  Ｐｒｏｇｒａｍ  Ｇｕｉｄｅ）情報とを有しており、それらの情報に基づいておすすめ番組情報を作成して、メールを用いて情報処理端末に送信する。ユーザーは、情報処理端末の受信したおすすめ番組情報より所望の番組を選択して映像処理装置へ返信することにより、映像処理装置において録画を予約することが可能となる。
【特許文献１】特開２００５−８６２５８号公報
【発明の開示】
【発明が解決しようとする課題】
【０００４】
しかし、従来の番組予約システムによると、映像処理装置において嗜好情報を事前に登録しているため、おすすめ番組情報に必ずしも現在視聴を希望する番組が含まれているとは限らない。
【０００５】
従って、本発明の目的は、現在鑑賞中の再生情報に関連した番組を予約することができる番組予約システム、情報処理端末、および映像処理装置を提供することにある。
【課題を解決するための手段】
【０００６】
（１）本発明は上記目的を達成するため、音声情報又は映像情報の少なくとも一方を有するコンテンツデータの再生中に、当該コンテンツデータに付随するキーワードを送信する情報処理端末と、前記キーワードを前記情報処理端末から受信して前記キーワードに関連する番組情報を前記情報処理端末に送信する映像処理装置とを備え、前記情報処理端末は、前記番組情報に含まれる所定の番組の予約情報を前記映像処理装置に送信することを特徴とする番組予約システムを提供する。
【０００７】
このような構成によれば、情報処理端末のユーザーが現在視聴中の音声情報に付随するキーワードを映像処理装置に送信でき、キーワードに関連する番組情報を取得可能なため、ユーザーが現在視聴を希望する番組を予約することができる。
【０００８】
（２）また、本発明は上記目的を達成するため、情報処理端末と映像処理装置とからなる番組予約システムであって、前記情報処理端末は、音声情報又は映像情報の少なくとも一方を有するコンテンツデータ、及び前記コンテンツデータに付随する付随情報を記憶する第１の記憶部と、前記コンテンツデータを再生する再生部と、前記コンテンツデータの再生時に前記付随情報を表示する第１の表示部と、前記付随情報に含まれるキーワードを選択する際にユーザーが操作する操作部と、選択された前記キーワードを前記映像処理装置へ送信する第１の無線通信部とを有し、前記映像処理装置は、前記情報処理端末から前記キーワードを受信する第２の無線通信部と、ＥＰＧ情報を取得するＥＰＧ取得部と、前記キーワード及び前記ＥＰＧ情報を記憶する第２の記憶部と、前記ＥＰＧ情報より前記キーワードに関する検索結果情報を抽出する制御部と、番組を録画予約又は視聴予約する番組予約処理部とを有し、前記第２の無線通信部は、前記検索結果情報を前記情報処理端末へ送信し、前記第１の無線通信部は、前記検索結果情報を前記映像処理装置より受信することを特徴とする番組予約システムを提供する。
【０００９】
このような構成によれば、情報処理端末のユーザーが現在視聴中の音声情報に付随するキーワードを映像処理装置に無線を用いて送信でき、キーワードに関連する番組情報をＥＰＧ情報より取得可能なため、ユーザーが現在視聴を希望する番組を予約することができる。
【００１０】
（３）また、本発明は上記目的を達成するため、音声情報又は映像情報の少なくとも一方を有するコンテンツデータ、及び前記コンテンツデータに付随する付随情報を記憶する記憶部と、前記コンテンツデータを再生する再生部と、前記コンテンツデータの再生時に前記付随情報を表示する表示部と、前記付随情報に含まれるキーワードを選択する際にユーザーが操作する操作部と、選択された前記キーワードを映像処理装置へ送信する無線通信部とを有することを特徴とする情報処理端末を提供する。
【００１１】
このような構成によれば、現在視聴中の音声情報に付随する文字情報をキーワードとして選択可能なため、情報処理端末に高度な入力装置が備えられなくとも外部に所望のキーワードを送信可能となる。
【００１２】
（４）また、本発明は上記目的を達成するため、情報処理端末からキーワードを受信する無線通信部と、ＥＰＧ情報を取得するＥＰＧ取得部と、前記ＥＰＧ情報より前記キーワードに関する検索結果情報を抽出する制御部と、番組を視聴予約又は録画予約する番組予約処理部とを有し、前記無線通信部は、前記検索結果情報を前記情報処理端末へ送信することを特徴とする映像処理装置を提供する。
【００１３】
このような構成によれば、外部より受信したキーワードを基にＥＰＧ情報より検索結果情報を抽出するため、即時性のある検索結果情報を外部へ返信可能である。
【発明の効果】
【００１４】
本発明によれば、現在視聴を希望する番組を予約することが可能となる。
【発明を実施するための最良の形態】
【００１５】
以下に、本発明の番組予約システムの実施の形態を、図面を参照して詳細に説明する。
【００１６】
［実施の形態］
（番組予約システムの構成）
図１は、本発明の実施の形態例に関する番組予約システムの概略構成図である。
【００１７】
番組予約システム１は、録画機能を有する映像処理装置１０と、映像および音声情報を処理可能な携帯型の情報処理端末２０とからなり、映像処理装置１０と情報処理端末２０とはＢｌｕｅｔｏｏｔｈを用いてＡＶＲＣＰ（Ａｕｄｉｏ  Ｖｉｄｅｏ  Ｒｅｍｏｔｅ  Ｃｏｎｔｒｏｌ  Ｐｒｏｆｉｌｅ）プロファイルによって相互に通信可能である。
【００１８】
映像処理装置１０は、内部にＣＰＵやＨＤＤ（Ｈａｒｄ Ｄｉｓｃ Ｄｒｉｖｅ）、Ｂｌｕｅｔｏｏｔｈレシーバ等の電子部品を有する本体機能部１０Ａと、映像を表示する表示部１０６と、図示しない、例えばリモコン等である操作部とを有し、放送電波を受信してテレビ番組をＨＤＤに記録することが可能である。
【００１９】
情報処理端末は、内部にＣＰＵや小型のＨＤＤやＢｌｕｅｔｏｏｔｈレシーバ等の電子部品を有し、操作部２０２を操作して表示部２０６にて映像を視聴可能である。
【００２０】
（映像処理装置の構成）
図２Ａは、本実施の形態に関する映像処理装置の概略構成図である。
【００２１】
制御部１０１は、操作部１０２の操作に従って各部に命令を送信し、バス１１２を介して各部の信号処理を行い統括的に制御する。
【００２２】
操作部１０２は、映像処理装置１０に設けられる図示しない各スイッチの操作に応じた操作信号を制御部１０１に出力する。
【００２３】
メモリ１０３は、映像等のファイルを一時的に記憶し、各部でのデータ処理を補助する。
【００２４】
記憶部１０４は、映像処理装置１０を動作させるためのファームウエア、映像等のコンテンツの管理に必要な管理データ、再生および制御に必要なプログラム、そして映像等のコンテンツデータを記憶する。
【００２５】
コーデック部１０５は、圧縮された映像データをデコードして変換し、チューナ１１１を介して受信した信号をエンコードして圧縮する。
【００２６】
表示部１０６は、表示駆動回路およびバックライトＬＣＤ等を含み画像表示を制御する。
【００２７】
音声出力部１０７は、コーデック部１０５でデコードされた映像信号の音声情報を、バス１１２を介して入力し、出力する。
【００２８】
無線通信部１０８は、Ｂｌｕｅｔｏｏｔｈを用いて構成され、外部機器と情報を送受信する。
【００２９】
ＥＰＧ取得部１０９は、インターネットを介してサーバから、又は放送電波に重畳されるデータから、ＥＰＧデータを取得する。
【００３０】
番組予約処理部１１０は、操作部１０２により入力された情報、あるいは無線通信部１０８を介して入力された情報を基に番組録画および番組視聴予約を実行する。
【００３１】
チューナ１１１は、外部アンテナを介して、デジタル放送およびアナログ放送を受信して、受信情報をコーデック部１０５へと送信する。また、放送電波に重畳されるＥＰＧデータを受信する。
【００３２】
（情報処理端末の構成）
図２Ｂは、本実施の形態に関する情報処理端末の概略構成図である。
【００３３】
制御部２０１は、操作部２０２の操作に従って各部に命令を送信し、バス２０９を介して各部の信号処理を行い統括的に制御する。
【００３４】
操作部２０２は、情報処理端末２０に設けられる複数のスイッチよりなり、その操作に応じた操作信号を制御部２０１に出力する。
【００３５】
メモリ２０３は、映像等のファイルを一時的に記憶し、各部でのデータ処理を補助する。
【００３６】
記憶部２０４は、情報処理端末２０を動作させるためのファームウエア、映像等のコンテンツの管理に必要な管理データ、再生および制御に必要なプログラム、そして映像等のコンテンツデータを記憶する。
【００３７】
デコーダ２０５は、圧縮された映像データをデコードして変換し、表示部２０６へ送信する。
【００３８】
表示部２０６は、表示駆動回路およびバックライトＬＣＤ等を含み画像表示を制御する。
【００３９】
音声出力部２０７は、デコーダ２０５でデコードされた映像信号の音声部分を、バス２０９を介して入力し、出力する。
【００４０】
無線通信部２０８は、Ｂｌｕｅｔｏｏｔｈを用いて構成され、外部機器と情報を送受信する。
【００４１】
（表示画面の構成）
図３Ａ（ａ）および（ｂ）は、本実施の形態における情報処理端末の表示画面構成を示す概略図である。
【００４２】
音声情報や映像情報のコンテンツを再生中、情報処理端末の表示部２０６は、図３Ａ（ａ）に示すように、番組検索に用いるキーワード選択画面を表示する。表示部２０６は、キーワード選択を表示する操作タイトル表示２０６ａと、再生中のコンテンツに含まれる文字情報を表示するキーワード２０６ｂと、現画面での操作と操作部２０２のスイッチとを対応づける操作ガイド表示２０６ｃとを有し、キーワード２０６ｂは選択枠２０６Ａによって選択する。
【００４３】
番組情報を外部から受信すると、情報処理端末の表示部２０６は、図３Ａ（ｂ）に示すように、番組録画予約に用いる検索結果画面を表示する。表示部２０６は、キーワード選択を表示する操作タイトル表示２０６ａと、現画面での操作と操作部２０２のスイッチとを対応づける操作ガイド表示２０６ｃと、受信した番組情報を表示する番組情報２０６ｄとを有し、番組情報２０６ｄは選択枠２０６Ａによって選択する。
【００４４】
（ＥＰＧ情報の構成）
図３Ｂは、本実施の形態における映像処理装置が有するＥＰＧ情報の構成例を示す概略図である。
【００４５】
図３Ｂに示すように、ＥＰＧ情報１０００はチャンネル情報１０００Ａと時刻情報１０００Ｂとを有し、ＥＰＧ情報１０００内の各番組はタイトル、出演者、ジャンル等の情報を有する。
【００４６】
ＥＰＧ情報１０００よりキーワードを検索する場合は、関係するキーワードが一致キーワード１０００ａとして検出される。
【００４７】
なお、図３Ｂに示すＥＰＧ情報１０００の表示は一例であり、同様の内容を有していればこれに限るものではない。
【００４８】
（動作）
以下に、本実施の形態における無線システムの動作を図１から図５を参照しつつ説明する。
【００４９】
図４は、本発明の実施の形態に関する情報処理端末の動作を示すフローチャートである。
【００５０】
まず、操作部２０２のコンテンツ再生に相当するスイッチを操作することにより、音楽および映像等のコンテンツが再生される（Ｓ１１）。次に、現在再生中のコンテンツが有する文字情報を用いて番組情報を検索する場合（Ｓ１２；Ｙｅｓ）、操作部２０２の番組検索要求に相当するスイッチ操作により、図３Ａ（ａ）に示すキーワード検索画面を表示する（Ｓ１３）。番組情報を検索しない場合（Ｓ１２；Ｎｏ）は、コンテンツの再生を継続する（Ｓ１１）。
【００５１】
操作ガイド表示２０６ｃに従い操作部２０２を操作することにより、選択枠２０６Ａを移動し、キーワード２０６ｂより、例えばアーティスト名や収録アルバム、ジャンル等より所望のキーワードを選択して決定すると（Ｓ１４；Ｙｅｓ）、無線通信部２０８は映像処理装置１０へキーワードを送信する（Ｓ１５）。所望のキーワードが存在しない場合は（Ｓ１４；Ｎｏ）、キーワード検索をキャンセルしてコンテンツの再生を継続する（Ｓ１１）。
【００５２】
映像処理装置１０よりキーワードに対する検索結果を１件以上受信した場合（Ｓ１６；Ｙｅｓ）、図３Ａ（ｂ）に示す番組情報２０６ｄを有する予約番組選択画面を表示する（Ｓ１７）。番組情報２０６ｄに所望の番組がある場合（Ｓ１８；Ｙｅｓ）は、番組予約要求を映像処理装置１０へ送信する（Ｓ１９）。次に、映像処理装置１０との通信を終了する（Ｓ２０）。
【００５３】
検索結果を受信しなかった場合（Ｓ１６；Ｎｏ）は、表示部２０６に「検索結果：０件」と表示し（Ｓ２１）、映像処理装置１０との通信を終了する（Ｓ２０）。また、番組情報２０６ｄに所望の番組がない場合（Ｓ１８；Ｎｏ）は、番組予約を終了して映像処理装置１０との通信を終了する（Ｓ２０）。
【００５４】
図５は、本実施の形態に関する映像処理装置の動作を示すフローチャートである。
【００５５】
まず、映像処理装置１０は、情報処理端末２０より通信要請があると無線通信部１０８および無線通信部２０８によって相互通信を開始する（Ｓ３１）。次に、情報処理端末２０よりキーワードを受信しメモリ１０３に保存する（Ｓ３２）。
【００５６】
次に、予めＥＰＧ取得部１０９を介して記憶部１０４に記憶されたＥＰＧ情報１０００より、キーワードに一致する一致キーワード１０００ａを検索し、一致キーワード１０００ａが含まれる番組情報を抽出する（Ｓ３３）。検索結果として番組情報が存在する場合（Ｓ３４；Ｙｅｓ）、検索結果を無線通信部１０８を介して情報処理端末２０へ返信する（Ｓ３５）。
【００５７】
検索結果としてキーワードに一致する番組情報が存在しない場合（Ｓ３４；Ｎｏ）、検索結果が０件である旨を情報処理端末２０へ返信し（Ｓ４０）、通信を終了する（Ｓ３９）。
【００５８】
次に、情報処理端末２０より通信切断の要求がなく（Ｓ３６；Ｎｏ）、番組予約の要求がある場合（Ｓ３７；Ｙｅｓ）、要求のあった番組について番組予約処理部１１０において番組録画予約を実行し（Ｓ３８）、通信を終了する（Ｓ３９）。
【００５９】
番組予約の要求がない場合（Ｓ３７；Ｎｏ）、Ｓ３６へ再び戻る。通信切断の要求があった場合（Ｓ３６；Ｙｅｓ）は、通信を終了する（Ｓ３９）。
【００６０】
なお、番組予約処理部１１０は、番組録画予約に限らず、番組視聴予約に関しても同様の動作により可能である。
【００６１】
（実施の形態の効果）
上記した実施の形態によると、情報処理端末２０において再生中のコンテンツが有する文字情報よりキーワードを選択可能としたため、操作部２０２の構成が簡潔であっても、文字入力が少ない操作工程で実行可能である。また、情報処理端末２０のユーザーが視聴するコンテンツより文字情報を選択するため、ユーザーの嗜好に沿ったキーワードを選択できる可能性が高い。
【００６２】
映像処理装置１０においてキーワードに一致する番組情報のみ選択されるため、一般的に記憶部の容量の大きくない情報処理端末２０において容量を超えることなく所望の番組情報を受信可能となる。
【００６３】
なお、無線通信部１０８は、相互に通信可能なものであれば、無線ＬＡＮ（Ｌｏｃａｌ  Ａｒｅａ  Ｎｅｔｗｏｒｋ）等を使用しても良い。
【図面の簡単な説明】
【００６４】
【図１】本発明の実施の形態例に関する番組予約システムの概略構成図である。
【図２Ａ】本発明の実施の形態例に関する映像処理装置の概略構成図である。
【図２Ｂ】本発明の実施の形態例に関する情報処理端末の概略構成図である。
【図３Ａ】（ａ）および（ｂ）は、本発明の実施の形態例における情報処理端末の表示画面構成を示す概略図である。
【図３Ｂ】本発明の実施の形態例における映像処理装置が有するＥＰＧ情報の構成例を示す概略図である。
【図４】本発明の実施の形態例に関する情報処理端末の動作を示すフローチャートである。
【図５】本発明の実施の形態例に関する映像処理装置の動作を示すフローチャートである。
【符号の説明】
【００６５】
１…番組予約システム、１０…映像処理装置、１０Ａ…本体機能部、２０…情報処理端末、１０１…制御部、１０２…操作部、１０３…メモリ、１０４…記憶部、１０５…コーデック部、１０６…表示部、１０７…音声出力部、１０８…無線通信部、１０９…取得部、１１０…番組予約処理部、１１１…チューナ、１１２…バス、２０１…制御部、２０２…操作部、２０３…メモリ、２０４…記憶部、２０５…デコーダ、２０６…表示部、２０６ａ…操作タイトル表示、２０６ｂ…キーワード、２０６ｃ…操作ガイド表示、２０６ｄ…番組情報、２０６Ａ…選択枠、２０７…音声出力部、２０８…無線通信部、２０９…バス、１０００…ＥＰＧ情報、１０００ａ…一致キーワード、１０００Ａ…チャンネル情報、１０００Ｂ…時刻情報
【図１】
2007324845.tif 000003
【図２Ａ】
2007324845.tif 000004
【図２Ｂ】
2007324845.tif 000005
【図３Ａ】
2007324845.tif 000006
【図３Ｂ】
2007324845.tif 000007
【図４】
2007324845.tif 000008
【図５】
2007324845.tif 000009